(57)【要約】【課題】本発明は、製造費用を抑えた住宅用分電盤の壁面取り付け構造を提供することを目的としている。【解決手段】筺体を成す基台は前面を開口し略箱状に形成され、壁面には、基台を挿入可能である取り付け開口を設け、基台の四隅には、基台取り付け部と壁面固定部とを有する埋め込み金具を取り付け、基台を壁面に設けた取り付け開口に差し入れると共に、埋め込み金具を壁面の取り付け開口周縁部に固定し、埋め込み金具には、筺体と前記壁面との隙間を埋めるための化粧枠を取り付け、住宅用分電盤を壁面に埋め込んで取り付け可能とすることを特徴とする。【選択図】図１
2010011707.tif 000002
【特許請求の範囲】
【請求項１】
筺体に主幹ブレーカや分岐ブレーカを配列し、前記筺体の底面部を壁面に取り付ける露出型として構成された住宅用分電盤の壁面への取り付け構造であって、前記筺体を成す基台は前面を開口し略箱状に形成され、前記壁面には、前記基台を挿入可能である取り付け開口を設け、前記基台の四隅には、基台取り付け部と壁面固定部とを有する埋め込み金具を取り付け、前記基台を前記壁面に設けた取り付け開口に差し入れると共に、前記埋め込み金具を前記壁面の取り付け開口周縁部に固定し、前記埋め込み金具には、前記筺体と前記壁面との隙間を埋めるための化粧枠を取り付け、前記住宅用分電盤を壁面に埋め込んで取り付け可能とすることを特徴とする住宅用分電盤の取り付け構造。
【発明の詳細な説明】
【技術分野】
【０００１】
本発明は、筺体に主幹ブレーカや分岐ブレーカを配列し、前記筺体の底面部を壁面に取り付ける露出型として構成された住宅用分電盤の壁面への取り付け構造に関するものである。
【背景技術】
【０００２】
住宅用分電盤は、壁面に基台を露出させて取り付ける露出型と、壁面に取り付け穴を形成し、基台を壁面に埋め込んで取り付ける埋め込み型とがある。埋め込み型の住宅用分電盤の基台は、壁面に固定される固定部を段差として形成し、固定部を壁面の取り付け穴の周縁部に当接させ、基台が壁面に落ち込んでしまわないように固定していた。そして、露出型と埋め込み型とは、その固定部を段差として形成するかしないかという違いがあり、別の金型で形成するか、同じ基台を共用していた。
【特許文献１】特許３３０１６９３号公報
【発明の開示】
【発明が解決しようとする課題】
【０００３】
しかしながら、露出型と埋め込み型とで、異なる金型を持つということは、回路数毎の寸法の基台とも合わせて多品種に上るため、製造費用を引き上げる原因となっていた。また、露出型と埋め込み型とを共用し、露出型で用いる場合に、壁面と基台との間に隙間ができることで、塵埃がたまりやすくなったり、基台に機器が載置できる有効寸法が小さくなってしまい、限られたスペースを有効に利用できないという欠点があった。
【課題を解決するための手段】
【０００４】
そこで、本発明は、製造費用を抑えた住宅用分電盤の壁面取り付け構造を提供することを目的とし、その構造は、筺体を成す基台は前面を開口し略箱状に形成され、壁面には、基台を挿入可能である取り付け開口を設け、基台の四隅には、基台取り付け部と壁面固定部とを有する埋め込み金具を取り付け、基台を壁面に設けた取り付け開口に差し入れると共に、埋め込み金具を壁面の取り付け開口周縁部に固定し、埋め込み金具には、筺体と前記壁面との隙間を埋めるための化粧枠を取り付け、住宅用分電盤を壁面に埋め込んで取り付け可能とすることを特徴とする。
【発明の効果】
【０００５】
本発明に係る住宅用分電盤の壁面取り付け構造は、筺体を成す基台は前面を開口し略箱状に形成され、壁面には、基台を挿入可能である取り付け開口を設け、基台の四隅には、基台取り付け部と壁面固定部とを有する埋め込み金具を取り付け、基台を壁面に設けた取り付け開口に差し入れると共に、埋め込み金具を壁面の取り付け開口周縁部に固定し、埋め込み金具には、筺体と前記壁面との隙間を埋めるための化粧枠を取り付け、住宅用分電盤を壁面に埋め込んで取り付け可能とするため、基台を露出型と埋め込み型とを共用することができ、品種数を減らせるので、製造コストを抑えることが可能となる。また、従来のように、壁面に埋め込んで取り付けるために段差を設けていたものに比べて、基台の外側に埋め込み金具を取り付けるため、基台の機器が取り付けることができる有効スペースを広くとることができる。
【発明を実施するための最良の形態】
【０００６】
本発明に係る住宅用分電盤の壁面取り付け構造を図１〜図６の添付図面に基いて説明する。
【０００７】
住宅用分電盤１は、パネルに配列した主幹ブレーカや分岐ブレーカといった電気機器を基台２に載置し、基台２の前面開口３は、カバー４や扉体５で被覆して構成される。住宅用分電盤１は住宅の壁面６に取り付けて用いるが、基台２の底面７を壁面６に密着させて取り付ける露出型と、壁面６に取り付け穴８を形成し、基台２を取り付け開口８に差し入れて基台２部分を壁面６に埋め込んで取り付ける埋め込み型とがある。
【０００８】
露出型として用いる場合には、基台２の底面７に設けた固定穴９を用いて、壁面６にねじ止め等で基台２を固定する。
【０００９】
一方埋め込み型として用いる場合には、基台２のコーナー部に埋め込み金具１０を基台２の底面６側より取り付ける。埋め込み金具１０は、基台２の四隅に取り付けられる。埋め込み金具１０は基台取り付け部１１と壁面固定部１２と側面部１３とで形成され、基台２のコーナー部を覆う形状とする。基台取り付け部１１には挿通穴１４を、壁面固定部１２には取り付け穴１５を設ける。基台２に設けられた固定穴９と挿通穴１４とを対向させ埋め込み金具１０を基台２に合わせ、取り付けねじ１６を固定穴９と挿通穴１４とにそれぞれ挿通し締め付け、基台２に埋め込み金具１０を取り付ける。壁面６に設けた取り付け開口８に基台２を差し入れ、埋め込み金具１０の壁面固定部１２が取り付け開口８に入り込まないように壁面６の前面に露出する位置で、取り付け穴１５にて固定ねじ１７で固定し基台２を壁面６に埋め込んで設置する。
【００１０】
基台２が壁面６に設置できたところで、基台２の左右の縦型の化粧枠１８をはめ込む。そして、基台２の上下に横型の化粧枠１９をはめ込んで、基台２と壁面６との隙間や、基台２を壁面６に固定するための固定ねじ１７を被覆し外観を整える。化粧枠１８，１９の基台２への固定方法は特に限定するものではなく、弾性による嵌合でも、ねじによる固定でも良い。最後に基台２前面にカバー４と扉体５とを装着し、住宅用分電盤１を完成させる。
【００１１】
住宅用分電盤は、住宅内の回路数により配列される分岐ブレーカの数が増減し、回路数により筺体の大きさも増減させる必要がある。埋め込み金具は、住宅用分電盤の基台の四隅を覆う形状としたため、どの回路数の住宅用分電盤にも適用させることができる。
【００１２】
図１〜図６に示す住宅用分電盤では、横長の形状であり、回路数を増やす場合には左右に延長させて大きくしていた。それに伴い、埋め込み金具も住宅用分電盤のそれぞれの品種に合う長さが必要となる。回路数が増えた場合に筺体を左右に延長させて大きくしていく場合、筺体の左右辺の縦の寸法は変わらないため、埋め込み金具と縦型の化粧枠は、一種類で対応できる。上下辺の横の寸法に変動があるため、上下の横型の化粧枠は、長いものを用意し、適当な長さで切断して用いることで品種としては一種類で対応できる。
【００１３】
住宅用分電盤が縦長の形状で回路数を増やすときには上下に延長させて筺体を大きくするような場合には、埋め込み金具は基台の上下辺に取り付ける横型とし、埋め込み金具と、上下辺に取り付ける横型の化粧枠とは一種類で対応し、左右辺の縦型の化粧枠は長いものを適当な長さで切断して用いることで品種としては一種類で対応できる。
【図面の簡単な説明】
【００１４】
【図１】基台と埋め込み金具との取り付け方法を示す説明図である。
【図２】埋め込み金具を取り付けた基台の壁面への取り付け方法を示す説明図である。
【図３】住宅用分電盤と縦型化粧枠との取り付け方法を示す説明図である。
【図４】住宅用分電盤と横型化粧枠との取り付け方法を示す説明図である。
【図５】基台とカバーと扉体との取り付け方法を示す説明図である。
【図６】住宅用分電盤の壁面への取り付け状態を示す説明図である。
【符号の説明】
【００１５】
１    住宅用分電盤
２    基台
３    開口
４    カバー
５    扉体
６    壁面
７    底面
８    取り付け開口
９    固定穴
１０  埋め込み金具
１１  基台取り付け部
１２  壁面固定部
１３  側面部
１４  挿通穴
１５  取り付け穴
１６  取り付けねじ
１７  固定ねじ
１８  縦型化粧枠
１９  横型化粧枠
【図１】
2010011707.tif 000003
【図２】
2010011707.tif 000004
【図３】
2010011707.tif 000005
【図４】
2010011707.tif 000006
【図５】
2010011707.tif 000007
【図６】
2010011707.tif 000008